(57)【特許請求の範囲】
【請求項１】
上顎歯列部又は下顎歯列部の個々の歯を矯正する歯科矯正具の製造装置であって、
前記上顎歯列部と前記下顎歯列部との咬合部であって、垂直方向の圧力が加わる所定位置を検出する検出部と、
前記検出部で検出した検出結果に基づいて前記所定位置に対応する矯正具本体の部位に開口部を形成する開口形成部と、
を備えることを特徴とする歯科矯正具の製造装置。
【請求項２】
前記検出部は、口腔内をスキャンした画像データに基づいて前記所定位置を検出することを特徴とする請求項１に記載の歯科矯正具の製造装置。
【請求項３】
上顎歯列部又は下顎歯列部の個々の歯を矯正する歯科矯正具の製造方法であって、
前記上顎歯列部と前記下顎歯列部との咬合部であって、垂直方向の圧力が加わる所定位置を検出する検出工程と、
前記検出工程で検出した検出結果に基づいて前記所定位置に対応する矯正具本体の部位に開口部を形成する開口形成工程と、
を有することを特徴とする歯科矯正具の製造方法。
【請求項４】
上顎歯列部又は下顎歯列部の個々の歯を矯正する歯科矯正具の製造方法であって、
前記上顎歯列部及び前記下顎歯列部にそれぞれ対応して成形された上顎矯正具本体及び下顎矯正具本体を用意し、
前記上顎歯列部及び前記下顎歯列部にそれぞれ前記上顎矯正具本体及び前記下顎矯正具本体を装着し、前記上顎矯正具本体と前記下顎矯正具本体との間に咬合紙を挟んで咬み合わせを行い、
その後、前記上顎歯列部及び前記下顎歯列部からそれぞれ前記上顎矯正具本体及び前記下顎矯正具本体を取り外し、
前記咬合紙によって着色された部位を穴あけ加工して開口部を形成するようにしたことを特徴とする歯科矯正具の製造方法。
【発明の詳細な説明】
【技術分野】
【０００１】
本発明は、歯列部の個々の歯を整列すべき方向に移動させるか、あるいは移動させた後の歯を元に戻らないようにするための歯科矯正具の製造装置及び方法に関する。
【背景技術】
【０００２】
従来、歯列部を矯正する器具には、例えば歯列部に装着するマウスピースがある。このようなマウスピースは、上顎歯列部又は下顎歯列部の全体を覆う形状に形成されている。すなわち、上記マウスピースは、口腔内に挿入し、使用者の該当する歯列弓（アーチ）上に装着したとき、そのアーチに歯係合部材が矯正力を与えるように、オープンフレーム構造を有している（例えば、特許文献１参照）。
【先行技術文献】
【特許文献】
【０００３】
【特許文献１】特許第５７０５７９４号公報
【発明の概要】
【発明が解決しようとする課題】
【０００４】
ところで、矯正する各患者個人は、上下の奥歯で咬合し、垂直方向の圧力が適切にかかるようにしている。この場合、患者が上下の奥歯にマウスピースを装着していると、そのマウスピースの肉厚分だけ隙間が形成される。これにより、その肉厚分だけ歯が沈み込む圧下が生じる問題がある。
【０００５】
また、上記マウスピースを歯列部に装着して矯正したとき、既に一部の歯に上記圧下が生じている場合がある。この場合には、圧下した歯を元に戻す必要がある。
【０００６】
本発明はこのような問題に鑑みてなされたものであり、歯の圧下を防止するとともに、圧下した歯を元に戻し、歯列を矯正することが可能な歯科矯正具の製造装置及び方法を提供することを課題としている。
【課題を解決するための手段】
【０００７】
かかる課題を達成するために、本発明は、上顎歯列部又は下顎歯列部の個々の歯を矯正する歯科矯正具の製造装置であって、前記上顎歯列部と前記下顎歯列部との咬合部であって、垂直方向の圧力が加わる所定位置を検出する検出部と、前記検出部で検出した検出結果に基づいて前記所定位置に対応する矯正具本体の部位に開口部を形成する開口形成部と、を備えることを特徴とする。
【０００８】
また、本発明では、前記検出部は、口腔内をスキャンした画像データに基づいて前記所定位置を検出することを特徴とする。
【０００９】
また、本発明は、上顎歯列部又は下顎歯列部の個々の歯を矯正する歯科矯正具の製造方法であって、前記上顎歯列部と前記下顎歯列部との咬合部であって、垂直方向の圧力が加わる所定位置を検出する検出工程と、前記検出工程で検出した検出結果に基づいて前記所定位置に対応する矯正具本体の部位に開口部を形成する開口形成工程と、を有することを特徴とする。
【００１０】
また、本発明は、上顎歯列部又は下顎歯列部の個々の歯を矯正する歯科矯正具の製造方法であって、前記上顎歯列部及び前記下顎歯列部にそれぞれ対応して成形された上顎矯正具本体及び下顎矯正具本体を用意し、前記上顎歯列部及び前記下顎歯列部にそれぞれ前記上顎矯正具本体及び前記下顎矯正具本体を装着し、前記上顎矯正具本体と前記下顎矯正具本体との間に咬合紙を挟んで咬み合わせを行い、その後、前記上顎歯列部及び前記下顎歯列部からそれぞれ前記上顎矯正具本体及び前記下顎矯正具本体を取り外し、前記咬合紙によって着色された部位を穴あけ加工して開口部を形成するようにしたことを特徴とする。
【発明の効果】
【００１１】
本発明によれば、上顎歯列部と下顎歯列部との咬合部であって、垂直方向の圧力が加わる所定位置を検出部で検出し、この検出結果に基づいて所定位置に対応する矯正具本体の部位に開口部を開口形成部により形成することにより、歯の圧下を防止するとともに、圧下した歯を元に戻し、歯列を矯正する歯科矯正具を容易に製造することが可能となる。
【００１２】
また、本発明によれば、検出部は、口腔内をスキャンした画像データに基づいて所定位置を検出することにより、圧下を防止する歯と、圧下した歯を確実に検出可能となり、矯正具本体の開口部を精密に形成することができる。
【００１３】
また、本発明によれば、上顎歯列部と下顎歯列部との咬合部であって、垂直方向の圧力が加わる所定位置を検出する検出工程と、この検出工程で検出した検出結果に基づいて所定位置に対応する矯正具本体の部位に開口部を形成する開口形成工程と、を有することにより、歯の圧下を防止するとともに、圧下した歯を元に戻し、歯列を矯正する歯科矯正具を容易に製造することが可能となる。
【００１４】
また、本発明によれば、上顎歯列部及び下顎歯列部にそれぞれ対応して成形された上顎矯正具本体及び下顎矯正具本体を用意し、上顎歯列部及び下顎歯列部にそれぞれ上顎矯正具本体及び下顎矯正具本体を装着し、上顎矯正具本体と下顎矯正具本体との間に咬合紙を挟んで咬み合わせを行い、その後、上顎歯列部及び下顎歯列部からそれぞれ上顎矯正具本体及び下顎矯正具本体を取り外し、咬合紙によって着色された部位を穴あけ加工して開口部を形成するようにしたので、歯の圧下を防止するとともに、圧下した歯を元に戻すための開口部を精確に形成することが可能となる。
【図面の簡単な説明】
【００１５】
【図１】本発明の一実施形態に係る歯科矯正具を上顎歯列部及び下顎歯列部に装着した状態を示す斜視図である。
【図２】本発明の一実施形態に係る歯科矯正具の下顎矯正具本体を示す平面図である。
【図３】図２のＩＩＩ−ＩＩＩ線による断面図である。
【図４】図３のＡ部拡大図である。
【図５】本発明の一実施形態に係る歯科矯正具の製造装置を示すブロック図である。
【図６】本発明の一実施形態に係る歯科矯正具を製造するための一例を示す説明図である。
【図７】本発明の一実施形態に係る歯科矯正具の製造方法で製造された上顎矯正具本体及び下顎矯正具本体の一例を装着した状態を示す説明図である。
【図８】本発明の一実施形態に係る歯科矯正具の製造方法を示す工程図である。
【発明を実施するための形態】
【００１６】
以下、本発明に係る歯科矯正具の一実施形態について説明する。
［歯科矯正具の一実施形態］
図１乃至図４は、本発明に係る歯科矯正具の一実施形態を示す。
【００１７】
図１は、本発明の一実施形態に係る歯科矯正具を上顎歯列部及び下顎歯列部に装着した状態を示す斜視図である。図２は、本発明の一実施形態に係る歯科矯正具の下顎矯正具本体を示す平面図である。図３は、図２のＩＩＩ−ＩＩＩ線による断面図である。図４は、図３のＡ部拡大図である。
【００１８】
なお、以下の実施形態では、矯正具本体としての歯科矯正具を口腔部内に挿入し、上顎歯列部及び下顎歯列部にそれぞれ装着した状態で、その前歯側を前側、奥歯側を後側とし、舌側を内側、頬側を外側として説明する。ここで、前歯は、切歯であって、左右の中切歯、左右の側切歯、及び左右の犬歯を備える。奥歯は、臼歯であって、左右の第１、第２小臼歯、左右の第１〜第３大臼歯を備える。
【００１９】
また、以下の実施形態おいて、上顎歯列部及び下顎歯列部には、それぞれ上顎矯正具本体としての上顎矯正具及び下顎矯正具本体としての下顎矯正具が装着され、これら上顎矯正具及び下顎矯正具を一括して説明する場合には、歯科矯正具として説明する。
【００２０】
図１及び図２に示すように、本実施形態の歯科矯正具１０は、上顎矯正具１２及び下顎矯正具１３を有し、これら上顎矯正具１２及び下顎矯正具１３は、それぞれ口腔１内に挿入され、上顎歯列部２及び下顎歯列部３にそれぞれ装着されるマウスピース型である。本実施形態の上顎矯正具１２及び下顎矯正具１３は、それぞれ上顎歯列部２及び下顎歯列部３に装着されて上顎歯列部２及び下顎歯列部３を横方向に拡げるとともに、上顎歯列部２及び下顎歯列部３の個々の歯を整列すべき方向に移動させ、あるいは移動させた歯を元に戻らないようにするものである。
【００２１】
なお、本実施形態の矯正とは、個々の歯を整列すべき方向に移動させて矯正すること以外に、矯正することによって移動させた歯を元に戻らないようにする保定のことを含むものとする。以下の実施形態では、個々の歯を整列すべき方向に移動させて矯正する場合について説明する。
【００２２】
本実施形態の歯科矯正具１０は、全体が弾性を有する樹脂材料で例えば１ｍｍの厚さに一体成形されている。具体的に、上記樹脂材料は、例えばポリウレタン等のウレタン樹脂、シリコン樹脂、ポリオレフィン系樹脂、スチレン系樹脂及びアクリル樹脂等から選択される。上記樹脂材料は、無色透明又は乳白色であることが望ましく、これにより口腔１内に挿入した場合、上顎歯列部２及び下顎歯列部３に装着していることが目立たず、審美性に優れたものとなる。上顎矯正具１２及び下顎矯正具１３は、それぞれ上顎歯列部２及び下顎歯列部３の個々の歯を整列すべき方向に徐々に移動させる形状に成型した成型物（アライナー）である。歯科矯正具１０は、例えば複数異なる大きさのもの、あるいは異なる硬さのものを段階的に用意して、それらを定期的に交換することにより矯正治療を進めていくものである。
【００２３】
上顎矯正具１２及び下顎矯正具１３は、口腔１内の上顎歯列部２及び下顎歯列部３の全ての歯、すなわち上顎歯列部２及び下顎歯列部３の前歯４及び奥歯５を覆って所定の形状を保持する硬度を有している。上顎矯正具１２及び下顎矯正具１３は、それぞれ上顎歯列部２及び下顎歯列部３の歯列弓（アーチ）に沿った形状に形成されて前歯４及び奥歯５の咬合部としての歯冠部６を覆うとともに、歯肉７側に位置する歯肉部８まで延びている。
【００２４】
上顎矯正具１２及び下顎矯正具１３は、上顎歯列部２と下顎歯列部３との咬合部である歯冠部６の所定位置を含む部位に開口部１５が形成されている。この歯冠部６の所定位置とは、上顎歯列部２と下顎歯列部３とを咬み合わせたとき、垂直方向の圧力が加わる位置のことである。
【００２５】
開口部１５は、上顎歯列部２及び下顎歯列部３の咬頭部９ａ及び裂溝部９ｂのうち咬頭部９ａに対応する部位に形成されている。すなわち、開口部１５は、歯ごとに設定された平面よりも高い位置に対応する部位に形成されている。あるいは、開口部１５は、上顎歯列部２又は下顎歯列部３のいずれか一方の全体で設定された一つの平面よりも高い位置に対応する部位に形成されている。なお、上記歯ごとに設定された平面とは、例えばその歯の平均的な高さにより設定されるものである。また、上顎歯列部２又は下顎歯列部３の全体で設定された一つの平面とは、例えば上顎歯列部２又は下顎歯列部３のいずれか一方の全体の平均的な高さにより設定されるものである。
【００２６】
具体的には、歯冠部６の所定位置とは、個々の歯を整列すべき方向に徐々に移動させる際、臼歯である奥歯５の圧下を事前に予防しようとする場合、上顎歯列部２と下顎歯列部３とを咬み合わせたとき、垂直方向の力が加わり、咬合圧が大きくなる位置のことである。なお、上記圧下とは、歯が歯槽骨の中へ押し込まれることである。上記垂直方向の力が加わる位置は、上顎歯列部２及び下顎歯列部３の咬頭部９ａ及び裂溝部９ｂのうち咬頭部９ａのことである。また、垂直方向の力が加わる位置は、歯ごとに設定された平面よりも高い位置に対応する部位もある。さらに、垂直方向の力が加わる位置は、上顎歯列部２又は下顎歯列部３の全体で設定された一つの平面よりも高い位置に対応する部位もある。
【００２７】
本実施形態の歯科矯正具１０には、咬頭部９ａに対応する部位に開口部１５が形成されている。ここで、本実施形態では、咬合圧が大きくなる位置の歯は、咬頭部９ａ及び裂溝部９ｂのうち咬頭部９ａとしたが、これに限らず裂溝部９ｂを含む場合もある。また、開口部１５は、歯ごとに設定された平面よりも高い位置に対応する部位もあり、あるいは上顎歯列部２又は下顎歯列部３の全体で設定された一つの平面よりも高い位置に対応する部位もある。
【００２８】
次に、本実施形態の歯科矯正具１０の作用を説明する。
【００２９】
歯科矯正具１０は、アライナーとして使用する場合、個々の歯を整列すべき方向に徐々に移動させるようにしている。この場合、咬頭部９ａを有する歯、歯ごとに設定された平面よりも高い位置の歯、あるいは上顎歯列部２又は下顎歯列部３の全体で設定された一つの平面よりも高い位置の歯の圧下を事前に予防するには、歯科矯正具１０における咬頭部９ａに対応する部位、歯ごとに設定された平面よりも高い位置に対応する部位、あるいは上顎歯列部２又は下顎歯列部３の全体で設定された一つの平面よりも高い位置に対応する部位に開口部１５を形成しておく。
【００３０】
上顎矯正具１２及び下顎矯正具１３を口腔１内の上顎歯列部２及び下顎歯列部３のそれぞれに装着して全ての歯の歯冠部６を覆うようにしている。このとき、開口部１５には、例えば咬頭部９ａ、歯ごとに設定された平面よりも高い位置の歯、上顎歯列部２又は下顎歯列部３の全体で設定された一つの平面よりも高い位置の歯が嵌り込むことで、歯科矯正具１０の咬合部の肉厚分だけ垂直方向の圧力が低減され、咬頭部９ａを有する歯、歯ごとに設定された平面よりも高い位置の歯、あるいは上顎歯列部２又は下顎歯列部３の全体で設定された一つの平面よりも高い位置の歯５の圧下を未然に防止することができる。
【００３１】
なお、本実施形態の歯科矯正具１０は、整列すべき方向に移動させた後に、移動させた歯を元に戻らないようにリテーナーとして使用することもできる。ここで、臼歯である奥歯５のうち、既に圧下している奥歯５がある場合には、その奥歯５に対して垂直方向の圧力を加えたくないことになる。本実施形態の歯科矯正具１０は、上記のように圧下している奥歯５を元の位置に戻すことも可能である。
【００３２】
具体的には、歯科矯正具１０を口腔１内の上顎歯列部２及び下顎歯列部３のそれぞれについて、圧下していない歯の元の高さデータと、圧下した現在の高さデータを比較し、その比較データに基づいて圧下した奥歯５を見出し、その奥歯５の位置に対応する歯科矯正具１０の部位に開口部１５を形成し、圧下した奥歯５を元の位置に戻すことができる。
【００３３】
このように本実施形態の歯科矯正具１０によれば、歯科矯正具１０は、上顎歯列部２と下顎歯列部３との咬合部である歯冠部６であって、この歯冠部６の所定位置を含む部位に開口部１５が形成されているので、開口部１５が形成されている部位に対応する位置の歯の圧下を防止するとともに、圧下した歯を元に戻し、歯列を矯正することが可能となる。
【００３４】
また、本実施形態によれば、歯冠部６の所定位置は、上顎歯列部２と下顎歯列部３とを咬み合わせたとき、垂直方向の圧力が加わる位置であるため、その位置の歯の圧下を防止するとともに、圧下した歯を元に戻すことができる。
【００３５】
また、本実施形態によれば、開口部１５は、上顎歯列部２及び下顎歯列部３の咬頭部９ａ及び裂溝部９ｂのうち咬頭部９ａに対応する部位に形成されていることにより、開口部１５が形成されている部位に対応する歯の圧下を防止するとともに、圧下した歯を元に戻すことができる。
【００３６】
また、本実施形態によれば、開口部１５は、歯ごとに設定された平面よりも高い位置に対応する部位に形成されていることにより、開口部１５が形成されている部位に対応する歯の圧下を防止するとともに、圧下した歯を元に戻すことができる。
【００３７】
また、本実施形態によれば、開口部１５は、上顎歯列部２又は下顎歯列部３の全体で設定された一つの平面よりも高い位置に対応する部位に形成されていることにより、開口部１５が形成されている部位に対応する歯の圧下を防止するとともに、圧下した歯を元に戻すことができる。
【００３８】
また、本実施形態によれば、開口部１５は、少なくとも一つおきの歯に対応する部位に形成されているので、歯科矯正具１０の局部的に機械的強度が低下するのを未然に防止することができる。
【００３９】
次に、本実施形態の歯科矯正具１０の製造装置及び製造方法の一実施形態について説明する。
【００４０】
図５は、本発明の一実施形態に係る歯科矯正具の製造装置を示すブロック図である。図６は、本発明の一実施形態に係る歯科矯正具を製造するための一例を示す説明図である。図７は、本発明の一実施形態に係る歯科矯正具の製造方法で製造された上顎矯正具本体及び下顎矯正具本体の一例を装着した状態を示す説明図である。
【００４１】
図５に示すように、本実施形態の歯科矯正具の製造装置は、検出部２１と、制御部２２と、切削部２３とを備える。本実施形態の歯科矯正具の製造装置は、上顎歯列部２と下顎歯列部３との咬合部であって、垂直方向の圧力が加わる所定位置、例えば上顎歯列部２と下顎歯列部３の咬頭部９ａを有する歯、歯ごとに設定された平面よりも高い位置の歯、上顎歯列部２又は下顎歯列部３の全体で設定された一つの平面よりも高い位置の歯を検出するため、まず検出部２１で患者の口腔１内の上顎歯列部２と下顎歯列部３をスキャナー等の撮像手段でスキャンして制御部２２で画像データを作成する。
【００４２】
制御部２２は、ＣＰＵ（Central Processing Unit）、ＲＡＭ（Random Access Memory）、記憶手段としてのＲＯＭ（Read Only Memory）、Ｉ／Ｏ(Input / Output)等を備えた周知のマイクロコンピュータを中心に構成された制御装置である。
【００４３】
このうち、上記ＲＯＭは、電源を切断しても記憶内容を保持する必要のあるデータやプログラムを記憶する。上記ＲＡＭは、データを一時的に格納する。上記ＣＰＵは、上記ＲＯＭにインストールされているプログラムを実行することで各機能を実現する。記憶手段には、ＲＯＭ以外に例えば、ＤＶＤ−ＲＯＭ（Digital Versatile Disk Read Only Memory）、ＣＤ−ＲＯＭ（Compact Disc Read Only Memory）、ハードディスク等のコンピュータ読み取り可能な電子媒体を含む。
【００４４】
制御部２２は、その画像データから上顎歯列部２と下顎歯列部３との咬合部の重なり状態に基づいて咬合圧が大きくなる位置を自動的に検出し、その位置に対応する歯科矯正具１０の部位に、主としてミリングマシンの他、レーザー、超音波等を用いた開口形成部としての切削部２３により穴開け加工して開口部１５を形成する。
【００４５】
なお、本実施形態の歯科矯正具の製造装置では、患者の上顎歯列部２と下顎歯列部３との間に咬合紙を噛ませ、咬合面である歯冠部６を着色して咬合圧が大きくなる位置を目視で確認するようにしてもよい。ここで、咬合圧が大きい場合は、相対的に濃く着色する一方、咬合圧が小さい場合は、相対的に淡く着色される。そして、歯冠部６の相対的に濃く着色された位置に対応する上顎矯正具１２及び下顎矯正具１３の部位に開口部１５を形成する。
【００４６】
また、本実施形態の歯科矯正具の製造装置では、患者の上顎歯列部２と下顎歯列部３の石膏模型を作成した後、この石膏模型の上顎歯列部と下顎歯列部との間に咬合紙を噛ませ、咬合面である歯冠部６を着色して咬合圧が大きくなる位置を目視で確認するようにしてもよい。その歯冠部６の着色された位置に対応する歯科矯正具１０の部位に開口部１５を形成する。
【００４７】
さらに、本実施形態の歯科矯正具１０の製造装置では、上顎矯正具１２及び下顎矯正具１３を口腔１内の上顎歯列部２及び下顎歯列部３にそれぞれ装着し、上顎矯正具１２と下顎矯正具１３との間で咬合紙を噛んだ後、図６に示すように咬合圧が大きい咬頭部９ａを有する歯の位置、歯ごとに設定された平面よりも高い位置、あるいは上顎歯列部２又は下顎歯列部３の全体で設定された一つの平面よりも高い位置に対応する歯科矯正具１０の着色された部位を歯科技工エンジン１１により切削して開口部１５を形成するようにしてもよい。
【００４８】
また、本実施形態の歯科矯正具１０の製造装置では、上記と同様に、上顎矯正具１２及び下顎矯正具１３を口腔１内の上顎歯列部２及び下顎歯列部３にそれぞれ装着し、上顎矯正具１２と下顎矯正具１３との間で咬合紙を噛んだ後、図６に示すように咬合圧が大きい咬頭部９ａを有する位置、歯ごとに設定された平面よりも高い位置、あるいは上顎歯列部２又は下顎歯列部３の全体で設定された一つの平面よりも高い位置に対応する歯科矯正具１０の着色された部位をミリングマシン、レーザー、超音波等を用いた切削器具により穴開け加工して開口部１５を形成することもできる。
【００４９】
なお、開口部１５を形成する場合、図７に示すように例えば上顎歯列部２の第１小臼歯と第１大臼歯に対応する歯科矯正具１０の部位（ハッチングで示す）に開口部１５を形成する一方、下顎歯列部３の第２小臼歯と第１大臼歯に対応する歯科矯正具１０の部位（ハッチングで示す）に開口部１５を形成することが望ましい。この場合、歯科矯正具１０における一つおきの歯に対応する部位に開口部１５を形成したが、これに限らず２つおきの歯に対応する部位に開口部１５を形成するようにしてもよい。要するに、歯科矯正具１０において、少なくとも一つおきの歯に対応する部位に開口部１５を形成すればよい。また、歯科矯正具１０を段階的に交換する場合には、上顎歯列部２及び下顎歯列部３の歯冠部６であって、この歯冠部６の所定位置に対応する歯科矯正具１０の開口部１５を形成する部位を逐次変更するようにしてもよい。
【００５０】
このように本実施形態の歯科矯正具の製造装置及び製造方法によれば、上顎歯列部２と下顎歯列部３との咬合部であって、垂直方向の圧力が加わる所定位置を検出部２１で検出し、この検出結果に基づいて所定位置に対応する歯科矯正具１０の部位に開口部１５を切削部２３により形成することにより、歯の圧下を防止するとともに、圧下した歯を元に戻し、歯列を矯正する歯科矯正具１０を容易に製造することが可能となる。
【００５１】
また、本実施形態の歯科矯正具の製造装置及び製造方法によれば、検出部２１は、口腔１内をスキャンした画像データから得られた咬合部である歯冠部６の重なり状態に基づいて咬合圧が大きくなる位置を検出することにより、圧下を防止する歯と、圧下した歯を確実に検出可能となり、歯科矯正具１０の開口部１５を精密に形成することができる。
【００５２】
図８は、本発明の一実施形態に係る歯科矯正具の製造方法を示す工程図である。
【００５３】
まず、図８に示すように、上顎歯列部２及び下顎歯列部３にそれぞれ対応した上顎矯正具１２及び下顎矯正具１３を成形する（ステップＰ１）。具体的には、上顎矯正具１２及び下顎矯正具１３は、それぞれあらかじめ患者の歯型をとり、その歯型の形状に全体が弾性を有する樹脂材料で例えば１ｍｍの厚さに一体成形する。
【００５４】
次いで、ステップＰ２で上顎歯列部２及び下顎歯列部３にそれぞれ上顎矯正具１２及び下顎矯正具１３を装着し、これら上顎矯正具１２と下顎矯正具１３との間に咬合紙を挟んで咬み合わせを行う（ステップＰ３）。
【００５５】
その後、ステップＰ４で上顎歯列部２及び下顎歯列部３からそれぞれ上顎矯正具１２及び下顎矯正具１３を取り外し、例えば上述した図６に示すように咬合紙によって着色された部位を歯科技工エンジン１１によって穴あけ加工して開口部１５を形成する（ステップＰ５）。
【００５６】
このように本実施形態の歯科矯正具の製造方法によれば、上顎矯正具１２及び下顎矯正具１３を成形し、上顎歯列部２及び下顎歯列部３にそれぞれ上顎矯正具１２及び下顎矯正具１３を装着し、上顎矯正具１２と下顎矯正具１３との間に咬合紙を挟んで咬み合わせを行い、その後、上顎歯列部２及び下顎歯列部３からそれぞれ上顎矯正具１２及び下顎矯正具１３を取り外し、咬合紙によって着色された部位を穴あけ加工して開口部を形成するようにしたので、歯の圧下を防止するとともに、圧下した歯を元に戻すための開口部を精確に形成することが可能となる。
［発明の他の実施形態］
本発明の各実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態は、発明の範囲や要旨に含まれると同様に、特許請求の範囲に記載された発明とその均等の範囲に含まれるものである。
【００５７】
上記実施形態では、上顎矯正具１２及び下顎矯正具１３を上顎歯列部２及び下顎歯列部３のそれぞれに装着した例について説明したが、これに限らず上顎矯正具１２又は下顎矯正具１３を上顎歯列部２又は下顎歯列部３に装着して上顎歯列部２又は下顎歯列部３の全体で設定された一つの平面よりも高い位置に対応する部位に開口部１５を形成するようにしてもよい。
【００５８】
また、上記実施形態では、歯科矯正具１０の素材、形状については、口腔内に挿入することができるもので同様の機能を有するものであれば、適宜の素材で構成されていてもよい。
【符号の説明】
【００５９】
１  口腔
２  上顎歯列部
３  下顎歯列部
４  前歯
５  奥歯
６  歯冠部（咬合部）
７  歯肉
８  歯肉部
９ａ  咬頭部
９ｂ  裂溝部
１０  歯科矯正具（矯正具本体）
１１  歯科技工エンジン
１２  上顎矯正具（上顎矯正具本体）
１３  下顎矯正具（下顎矯正具本体）
１５  開口部
２１  検出部
２２  制御部
２３  切削部
【要約】
【課題】歯の圧下を防止するとともに、圧下した歯を元に戻し、歯列を矯正することが可能な歯科矯正具の製造装置を提供する。
【解決手段】上顎歯列部又は下顎歯列部の個々の歯を矯正する歯科矯正具の製造装置であって、上顎歯列部と下顎歯列部との咬合部であって、垂直方向の圧力が加わる所定位置を検出する検出部２１と、検出部２１で検出した検出結果に基づいて所定位置に対応する矯正具本体の部位に開口部を形成する開口形成部２３と、を備える。
【選択図】図５【図１】
0006945113.tif 000002
【図２】
0006945113.tif 000003
【図３】
0006945113.tif 000004
【図４】
0006945113.tif 000005
【図５】
0006945113.tif 000006
【図６】
0006945113.tif 000007
【図７】
0006945113.tif 000008
【図８】
0006945113.tif 000009